(57)【要約】【課題】  コンパクトな構成によりドラム缶の蓋開閉を効率良く行うことができる蓋開閉用工具を提供する。【解決手段】  互いに径が異なる２つの口部が天板に形成され、前記各口部に螺合される大蓋及び小蓋を有し、前記大蓋及び小蓋は表面に係合部材を備え、前記大蓋及び小蓋の少なくとも一方が保護カバーにより被覆されるドラム缶の開閉に使用する蓋開閉用工具１であって、一端側に差込部１２が設けられた棒状部材１０と、棒状部材１０の他端側に設けられた平板状の開閉部材２０とを備え、差込部１２は、先端に向けて厚みが次第に薄くなるように形成され、且つ、細長の先端面１２ａを有する。【選択図】  図１
2005289453.tif 000002
【特許請求の範囲】
【請求項１】
互いに径が異なる２つの口部が天板に形成され、前記各口部に螺合される大蓋及び小蓋を有し、前記大蓋及び小蓋は表面に係合部材を備え、前記大蓋及び小蓋の少なくとも一方が保護カバーにより被覆されるドラム缶の開閉に使用する蓋開閉用工具であって、
一端側に差込部が設けられた棒状部材と、
前記棒状部材の他端側に設けられた平板状の開閉部材とを備え、
前記差込部は、先端に向けて厚みが次第に薄くなるように形成され、且つ、細長の先端面を有する蓋開閉用工具。
【請求項２】
前記開閉部材は、前記棒状部材に対して両側の縁部にそれぞれ設けられた大突片及び小突片を備え、
前記大突片及び小突片は、いずれも矩形状の先端面を有しており、
前記棒状部材は、前記各先端面の中心を通る法線と軸線が交差する請求項１に記載の蓋開閉用工具。
【請求項３】
前記棒状部材は、前記開閉部材の表面に対して略垂直に延びる請求項２に記載の蓋開閉用工具。
【発明の詳細な説明】
【技術分野】
【０００１】
本発明は、ドラム缶の蓋開閉用工具に関し、より詳しくは、互いに径が異なる２つの口部が天板に形成され、前記各口部に螺合される大蓋及び小蓋を有し、前記大蓋及び小蓋は表面に一対の係合部材を備え、前記大蓋及び小蓋の少なくとも一方が樹脂製のカバーにより被覆されるドラム缶の開閉に使用する蓋開閉用工具に関する。
【背景技術】
【０００２】
従来、互いに径が異なる２つの口部が天板に形成された密閉式のドラム缶が知られており、大径の口部が注入用として用いられ、小径の口部が換気用として用いられる。
【０００３】
このドラム缶は、図８に示すように、天板５１に形成された各口部が、内周面に雌ねじを有するフランジ部５２，５３を備えており、外周面に雄ねじを有する大蓋５４及び小蓋５５が、各フランジ部５２，５３に螺合するように構成されている。各フランジ部５２，５３に装着された大蓋５４及び小蓋５５には、ポリエチレンなどの樹脂製の保護カバー（図示せず）が取り付けられる。尚、フランジ部５２，５３としては、上述した内ねじ式の他、ねじ部が外周面に形成された外ねじ式がある。また、保護カバーとしては、上述した樹脂製以外に、金属製のものがある。
【０００４】
大蓋５４及び小蓋５５は、表面に凹部５４１，５５１を有しており、各凹部５４１，５５１には、内周面から突出して互いに対向するように配置された一対の係合部材５４２；５４２，５５２；５５２が設けられている。
【０００５】
上記構成を備えるドラム缶における大蓋５４及び小蓋５５を開閉する工具として、例えば、特許文献１に開示されたものが知られている。この蓋開閉用工具は、図９に示すように、軸方向の略中央部に該軸方向と直交する方向に貫通する貫通孔６２が形成された主軸部６１と、端部に円錐部６４を有して貫通孔６２に移動可能に挿通されたハンドル部６３と、ハンドル部６３を主軸部６１に固定するナット６５と、主軸部６１の両端にそれぞれ設けられた平板状の第１の係合片６７及び第２の係合片６８とを備えている。
【０００６】
この蓋開閉用工具によれば、まず、大蓋５４及び小蓋５５に取り付けられた保護カバー（図示せず）にハンドル部６３の円錐部６４を突き刺し、この円錐部６４の基部に形成されたねじ部に保護カバーを引っ掛けて取り除く。
【０００７】
大蓋５４及び小蓋５５の開閉に際しては、主軸部６１に対するハンドル部６３の位置を調整してナット６５により固定し、大蓋５４の場合は第１の係合片６７を図８に示す一対の係合部材５４２，５４２に係合させ、小蓋５５の場合は第２の係合片６８を図８に示す一対の係合部材５５２，５５２に係合させた後、ハンドル部６３の操作により主軸部６１を回転させる。
【０００８】
また、特許文献２には、図１０に示すように、平板状の突起板７１に対してパイプ７２が略垂直に結合された蓋開閉用工具が開示されている。この突起板７１は、一方側に大突片７３を有し、パイプ７２を挟んで他方側に小突片７４及び中突片７５を有しており、大突片７３、小突片７４及び中突片７５を適宜使用することにより、大蓋５４及び小蓋５５における一対の係合部材５４２；５４２，５５２；５５２の各種形状に対応することができる。
【特許文献１】登録実用新案第３０６４１１９号公報
【特許文献２】実開昭５７−１９３３６６号公報
【発明の開示】
【発明が解決しようとする課題】
【０００９】
特許文献１に開示された蓋開閉用工具は、大蓋５４及び小蓋５５に装着された保護カバーを除去するために、ハンドル部６３の先端に形成された円錐部６４の先端を保護カバーに突き刺した後、円錐部６４の基部に形成されたねじ部にこの保護カバーを引っ掛けて取り外すように構成されている。ところが、このような取り外し方法では保護カバーに十分な力を伝えにくく、作業性が良好でないという問題があった。また、作業者が操作するハンドル部６３に先が尖った円錐部６４が設けられているため、安全性にも問題があった。
【００１０】
更に、主軸部６１とハンドル部６３との軸同士を交差させた構成となっているので、取り扱いが煩雑なだけでなく、第１の係合片６７又は第２の係合片６８を大蓋５４又は小蓋５５に係合させたときの姿勢が不安定になり易く、蓋開閉時の作業性も良好でないという問題があった。
【００１１】
また、特許文献２に開示された蓋開閉用工具は、大蓋５４又は小蓋５５に保護カバーが装着されている場合の取り外し作業について全く考慮されていないため、別途ドライバーなどを用いて保護カバーを除去しなければならず、作業が繁雑になるという問題があった。
【００１２】
更に、小蓋５５を開閉するために小突片７４または中突片７５のいずれか一方のみを使用する場合には、小突片７４または中突片７５の回転中心線とパイプ７２の軸線とが交差しないため、小突片７４または中突片７５のスムーズな回転が妨げられ、蓋開閉時の作業性が良好でないという問題があった。
【００１３】
本発明は、このような問題を解決すべくなされたものであって、コンパクトな構成によりドラム缶の蓋開閉を効率良く行うことができる蓋開閉用工具の提供を目的とする。
【課題を解決するための手段】
【００１４】
本発明の前記目的は、互いに径が異なる２つの口部が天板に形成され、前記各口部に螺合される大蓋及び小蓋を有し、前記大蓋及び小蓋は表面に係合部材を備え、前記大蓋及び小蓋の少なくとも一方が保護カバーにより被覆されるドラム缶の開閉に使用する蓋開閉用工具であって、一端側に差込部が設けられた棒状部材と、前記棒状部材の他端側に設けられた平板状の開閉部材とを備え、前記差込部は、先端に向けて厚みが次第に薄くなるように形成され、且つ、細長の先端面を有する蓋開閉用工具により達成される。
【００１５】
この蓋開閉用工具において、前記開閉部材は、前記棒状部材に対して両側の縁部にそれぞれ設けられた大突片及び小突片を備え、前記大突片及び小突片は、いずれも矩形状の先端面を有することが好ましく、前記棒状部材は、前記各先端面の中心を通る法線と軸線が交差することが好ましい。
【００１６】
また、前記棒状部材は、前記開閉部材の表面に対して略垂直に延びることが好ましい。
【発明の効果】
【００１７】
本発明の蓋開閉用工具によれば、コンパクトな構成によりドラム缶の蓋開閉を効率良く行うことができる。
【発明を実施するための最良の形態】
【００１８】
以下、本発明の実態形態について添付図面を参照して説明する。図１は、本発明の一実施形態に係る蓋開閉用工具の側面図であり、図２及び図３は、図１に示す蓋開閉用工具の一端側及び他端側の端面図である。
【００１９】
図１から図３に示すように、蓋開閉用工具１は、丸棒からなる棒状部材１０と、棒状部材１０の端面に結合された平板状の開閉部材２０とを備えている。棒状部材１０及び開閉部材２０の材質として、炭素工具鋼や、炭素工具鋼にクロムなどを添加した合金工具鋼の他、ＳＵＳ３０４、ＳＵＳ３１６などのステンレス鋼を例示することができ、更に、防爆仕様として、ベリリウム銅やアルミニウム青銅などを挙げることができる。棒状部材１０と開閉部材２０との結合は、例えば溶接などにより行うことができ、或いは、ねじ止めやナット止めなどにより行うこともできる。
【００２０】
棒状部材１０は、図１に示すように、先端に向けて厚みが次第に薄くなるように削り出し加工などで形成された差込部１２を有している。差込部１２の先端面１２ａは、図３に示すように、幅方向に細長となるよう略矩形状に形成されている。先端面１２ａの幅ａは、２〜２０ｍｍであることが好ましく、８〜１５ｍｍであることがより好ましい。また、先端面１２ａの厚みｂは、０．３ｍｍ〜３ｍｍであることが好ましく、０．５〜１．５ｍｍであることがより好ましい。先端面１２ａの幅ａまたは厚みｂが小さすぎると、十分な強度の確保や安全な取り扱いが困難になり易い一方、幅ａまたは厚みｂが大きすぎると、作業性が悪化する傾向にある。本実施形態では、先端面１２ａの幅ａを９ｍｍとし、厚みｂを０．５ｍｍとしている。
【００２１】
開閉部材２０は、棒状部材１０が表面に対して略垂直に結合されており、棒状部材１０との結合部の両側縁部に、大突片２２及び小突片２４を備えている。図２に示すように、大突片２２及び小突片２４は、幅の大きさが互いに異なっており、それぞれ図８に示す大蓋５４及び小蓋５５における一対の係合部材５４２；５４２，５５２；５５２と係合可能な大きさとされている。
【００２２】
大突片２２及び小突片２４の先端面２２ａ，２４ａはいずれも矩形状であり、各先端面２２ａ，２４ａの中心を通る法線Ｌ１は互いに一致する。棒状部材１０は、軸線Ｌ２がこの法線Ｌ１と直交するように、開閉部材２０に結合されている。
【００２３】
棒状部材１０（特に差込部１２）や開閉部材２０（特に大突片２２及び小突片２４）には、防汚処理が施されていることが好ましい。防汚処理としては、バフ研磨、科学梨地、バレル研磨、電解研磨などにより表面を研磨する方法や、表面の研磨後にフッ素系樹脂やシリコーン系樹脂をコーティングする方法などを例示することができる。
【００２４】
次に、この蓋開閉用工具を用いてドラム缶の蓋開閉を行う方法を説明する。まず、棒状部材１０を把持し、図４に示すように、ドラム缶の大蓋又は小蓋を覆うようにして取り付けられた保護カバー５６と天板５１との隙間（例えば、約２〜３ｍｍ）に蓋開閉用工具１の差込部１２の先端を挿入する。保護カバー５６は、樹脂カバー又は金属カバーのいずれであってもよい。上述したように、差込部１２の先端面１２ａは、薄く且つ幅方向に細長に形成されているため、保護カバー５６と天板５１との隙間が微小であっても容易に挿入することができ、取り扱い上も安全である。この状態で保護カバー５６をこじることにより、保護カバー５６を取り外す。
【００２５】
大蓋５４を開ける場合には、図５に示すように、大突片２２を、一対の係合部材５４２，５４２に対して側面の回転方向側が当接するように係合させた後、棒状部材１０を操作して大突片２２を矢示方向に回転させる。上述したように、棒状部材１０の軸線は、大突片２２の先端面２２ａの中心を通る法線と交差するため、棒状部材１０は、大突片２２が回転する際の回転軸を中心として回転する。したがって、棒状部材１０の回転操作をスムーズに行うことができ、大蓋５４を容易に取り外すことができる。
【００２６】
大蓋５４を閉める場合には、一対の係合部材５４２，５４２に対する大突片２２の当接位置を逆にして、大蓋５４を反対方向に回転させる。また、小蓋５５を開閉する場合には、開閉部材２０の小突片２４を使用し、大蓋５４の場合と同様にして蓋開閉を行うことができる。
【００２７】
このように、本実施形態の蓋開閉用工具によれば、コンパクトな構成により、保護カバーの除去と大蓋及び小蓋の開閉を容易且つ効率良く行うことができる。
【００２８】
以上、本発明の一実施形態について説明したが、本発明の具体的な態様が上記実施形態に限定されるものではない。例えば、本実施形態においては、開閉部材が、大蓋および小蓋にそれぞれ対応する大突片及び小突片を有する構成としているが、一対の係合部材の形状や配置によっては、開閉部材が単一の突片のみを有する構成にすることも可能である。例えば、図６に示すように、大蓋５４及び小蓋５５における一対の係合部材５４２；５４２，５５２；５５２が互いに平行な平板状の部材からなる場合には、同一の突片２６を大蓋５４及び小蓋５５のいずれにも対応させることができる。尚、大蓋５４及び小蓋５５に設けられた係合部材は、大突片または小突片と係合して開閉可能である限り、必ずしも一対である必要はなく、単一の係合部材であってもよい。
【００２９】
また、本実施形態においては、開閉部材の表面に棒状部材が略垂直に結合されているが、図７に示すように、棒状部材１０が開閉部材２０の表面と略平行に延びるように結合されていてもよい。この場合においても、大突片２２及び小突片２４の各先端面２２ａ，２４ａの中心を通る法線Ｌ１と棒状部材１０の軸線Ｌ２とが交差していることが好ましい。
【００３０】
また、本実施形態においては、上記法線Ｌ１及び軸線Ｌ２とが直交しているが、傾斜状態で交差するように構成してもよい。このような構成の一例として、法線Ｌ１と軸線Ｌ２との交差状態を保持したまま開閉部材２０に対して棒状部材１０が回動可能となるように結合し、開閉部材２０に対して棒状部材１０をねじ締めなどにより任意の角度位置で固定できるように構成してもよい。この構成によれば、棒状部材１０の水平方向の見かけ長さを作業環境に応じて調整することができ、狭い場所であっても蓋開閉を容易に行うことができる。また、棒状部材１０自体を伸縮可能な構成にすることもでき、これによって作業性や取り扱い性を向上させることもできる。
【００３１】
また、差込部１２の先端付近の形状は、細長の先端面１２ａを有するものであれば必ずしも本実施形態に限定されるものではなく、図１１に側面視で示すように、（ａ）滑らかな曲面状（側面視円弧状など）のもの、（ｂ）端面に凸部が形成されたもの、（ｃ）端面に凹部が形成されたもの、等を例示することができる。
【００３２】
また、大突片及び小突片の先端面についても、平面状に限らず、曲面状などであってもよく、この場合も先端の極近傍を矩形状の先端面として把握することができる。尚、大突片及び小突片の先端付近の形状を、例えば、図１１に示す差込部１２の先端付近の形状と同様にすることもできる。
【図面の簡単な説明】
【００３３】
【図１】本発明の一実施形態に係る蓋開閉用工具を示す側面図である。
【図２】前記蓋開閉用工具の一端側の端面図である。
【図３】前記蓋開閉用工具の他端側の端面図である。
【図４】前記蓋開閉用工具を用いて保護カバーを取り外す方法を説明するための図である。
【図５】前記蓋開閉用工具を用いて大蓋を開く方法を説明するための図である。
【図６】本発明の他の実施形態に係る蓋開閉用工具を用いて大蓋及び小蓋を開く方法を説明するための図である。
【図７】本発明の更に他の実施形態に係る蓋開閉用工具を示す側面図である。
【図８】ドラム缶の上面図である。
【図９】従来の蓋開閉用工具を示す側面図である。
【図１０】従来の他の蓋開閉用工具を示す端面図である。
【図１１】本発明の一実施形態に係る蓋開閉用工具における差込部の変形例を示す側面図である。
【符号の説明】
【００３４】
１  蓋開閉用工具
１０  棒状部材
１２  差込部
１２ａ  先端面
２０  開閉部材
２２  大突片
２４  小突片
２２ａ，２４ａ  先端面
５４  大蓋
５４２  係合部材
５５  小蓋
５５２  係合部材
５６  保護カバー
【図１】
2005289453.tif 000003
【図２】
2005289453.tif 000004
【図３】
2005289453.tif 000005
【図４】
2005289453.tif 000006
【図５】
2005289453.tif 000007
【図６】
2005289453.tif 000008
【図７】
2005289453.tif 000009
【図８】
2005289453.tif 000010
【図９】
2005289453.tif 000011
【図１０】
2005289453.tif 000012
【図１１】
2005289453.tif 000013